【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
安定化水性フルオロポリマー分散系であって、
約２．２２５未満のＳＳＧを有する約３０〜約７０重量％の非溶融加工性フルオロポリマー粒子と、
前記フルオロポリマーの重量を基準として約２〜約１１重量％の脂肪族アルコールエトキシレート非イオン性界面活性剤と、
前記フルオロポリマーの重量を基準として約２〜約１１重量％の脂肪族アルコールエトキシレート非イオン性界面活性剤と
を含み、
前記フルオロポリマー粒子は、高分子量のポリテトラフルオロエチレンのコアと、より低分子量のポリテトラフルオロエチレンまたは変性ポリテトラフルオロエチレンのシェルを含み、
本質的に芳香族基を含有する界面活性剤を含まず、そして
前記分散系の重量を基準として３００ｐｐｍ未満のフルオロ界面活性剤を含有することを特徴とする分散系。
【請求項２】
請求項１に記載の水性分散系であることを特徴とするコーティング組成物。
【請求項３】
請求項２に記載の組成物で被覆されることを特徴とする基材。
【請求項４】
前記界面活性剤が熱的に除去されたことを特徴とする請求項１に記載の水性分散系で被覆された基材。
【請求項５】
請求項１に記載の水性分散系から注入成形されたことを特徴とする自己支持形フィルム。
【手続補正２】
【補正対象書類名】明細書
【補正対象項目名】０１０８
【補正方法】変更
【補正の内容】
【０１０８】
【表１】
2008540807.tif 000001
以下に本明細書に記載の発明につき列記する。
１．
安定化水性フルオロポリマー分散系であって、
約２．２２５未満のＳＳＧを有する約３０〜約７０重量％の非溶融加工性フルオロポリマー粒子と、
前記フルオロポリマーの重量を基準として約２〜約１１重量％の脂肪族アルコールエトキシレート非イオン性界面活性剤と、
前記フルオロポリマーの重量を基準として約２〜約１１重量％の脂肪族アルコールエトキシレート非イオン性界面活性剤と
を含み、
前記フルオロポリマー粒子は、高分子量のポリテトラフルオロエチレンのコアと、より低分子量のポリテトラフルオロエチレンまたは変性ポリテトラフルオロエチレンのシェルを含み、
本質的に芳香族基を含有する界面活性剤を含まず、そして
前記分散系の重量を基準として３００ｐｐｍ未満のフルオロ界面活性剤を含有することを特徴とする分散系。
２．
前記分散系の重量を基準として、１００ｐｐｍ未満のフルオロ界面活性剤を含有することを特徴とする前記１．に記載の水性フルオロポリマー分散系。
３．
前記分散系の重量を基準として、５０ｐｐｍ未満のフルオロ界面活性剤を含有することを特徴とする前記１．に記載の水性フルオロポリマー分散系。
４．
前記分散系の重量を基準として、２５ｐｐｍ未満のフルオロ界面活性剤を含有することを特徴とする前記１．に記載の水性フルオロポリマー分散系。
５．
前記分散系の重量を基準として、１００ｐｐｍ未満の陰イオン性非フッ素化面活性剤を含有することを特徴とする前記１．に記載の水性フルオロポリマー分散系。
６．
前記分散系の重量を基準として、５０ｐｐｍ未満の陰イオン性非フッ素化面活性剤を含有することを特徴とする前記１．に記載の水性フルオロポリマー分散系。
７．
前記分散系の重量を基準として、１０ｐｐｍ未満の陰イオン性非フッ素化面活性剤を含有することを特徴とする前記１．に記載の水性フルオロポリマー分散系。
８．
本質的にアニオン性非フッ素化界面活性剤を含まないことを特徴とする前記１．に記載の水性フルオロポリマー分散系。
９．
２３±３℃で１００ｍＰａ・ｓ未満の粘度を有することを特徴とする前記２．に記載の水性フルオロポリマー分散系。
１０．
２３±３℃で４０ｍＰａ・ｓ未満の粘度を有することを特徴とする前記２．に記載の水性フルオロポリマー分散系。
１１．
前記１．に記載の水性分散系であって、
約６０重量％のフルオロポリマーでの前記分散系および約６重量％の界面活性剤での前記分散系が、約６００秒より大きいゲル化時間を有するほど、前記シェル中のポリテトラフルオロエチレンまたは変性ポリテトラフルオロエチレンの分子量が十分に低いことを特徴とする水性分散系。
１２．
前記１．に記載の水性分散系であって、
約６０重量％のフルオロポリマーでの前記分散系および約６重量％の界面活性剤での前記分散系が、約７００秒より大きいゲル化時間を有するほど、前記シェル中のポリテトラフルオロエチレンまたは変性ポリテトラフルオロエチレンの分子量が十分に低いことを特徴とする水性分散系。
１３．
前記１．に記載の水性分散系であって、
約６０重量％のフルオロポリマーでの前記分散系および約６重量％の界面活性剤での前記分散系が、約１０００秒より大きいゲル化時間を有するほど、前記シェル中のポリテトラフルオロエチレンまたは変性ポリテトラフルオロエチレンの分子量が十分に低いことを特徴とする水性分散系。
１４．
前記１．に記載の水性分散系であって、
前記フルオロポリマーの重量を基準として、６重量％の非イオン性界面活性剤で少なくとも約１０μｍの臨界クラッキング厚さを有することを特徴とする水性分散系。
１５．
前記１．に記載の水性分散系であって、
前記脂肪族アルコールエトキシレート非イオン性界面活性剤が式
Ｒ（ＯＣＨ2ＣＨ2）nＯＨ
（式中、Ｒは８〜１８個の炭素原子を有する分岐アルキル、分岐アルケニル、シクロアルキル、またはシクロアルケニル炭化水素基であり、そしてｎは５〜１８の平均値である）
の化合物または化合物の混合物を含むことを特徴とする水性分散系。
１６．
約４５〜約６５重量％の非溶融加工性フルオロポリマーを含むことを特徴とする前記１．に記載の水性分散系。
１７．
前記コアのポリテトラフルオロエチレンの平均溶融クリープ粘度が約１．２×１０10Ｐａ・ｓより大きいことを特徴とする前記１．に記載の水性分散系。
１８．
前記コアのポリテトラフルオロエチレンの平均溶融クリープ粘度が約１．３×１０10Ｐａ・ｓより大きいことを特徴とする前記１．に記載の水性分散系。
１９．
前記コアのポリテトラフルオロエチレンの平均溶融クリープ粘度が約１．５×１０10Ｐａ・ｓより大きいことを特徴とする前記１．に記載の水性分散系。
２０．
前記シェルのポリテトラフルオロエチレンまたは変性ポリテトラフルオロエチレンの平均溶融クリープ粘度が、約９×１０9Ｐａ・ｓより大きく、そして前記コアのポリテトラフルオロエチレンの平均溶融粘度より小さいことを特徴とする前記１．に記載の水性分散系。
２１．
前記シェルのポリテトラフルオロエチレンまたは変性ポリテトラフルオロエチレンの平均溶融クリープ粘度が、前記コアのポリテトラフルオロエチレンの平均溶融クリープ粘度より少なくとも０．１×１０10Ｐａ・ｓ小さいことを特徴とする前記１．に記載の水性分散系。
２２．
前記シェルのポリテトラフルオロエチレンまたは変性ポリテトラフルオロエチレンの平均溶融クリープ粘度が、前記コアのポリテトラフルオロエチレンの平均溶融クリープ粘度より少なくとも０．２×１０10Ｐａ・ｓ小さいことを特徴とする前記１．に記載の水性分散系。
２３．
前記シェルのポリテトラフルオロエチレンまたは変性ポリテトラフルオロエチレンの平均溶融クリープ粘度が、約９×１０9〜約１．３×１０10Ｐａ・ｓであることを特徴とする前記１．に記載の水性分散系。
２４．
前記シェルが、約５〜約３０重量％の前記フルオロポリマー粒子を含むことを特徴とする前記１．に記載の水性分散系。
２５．
約５０℃〜約８５℃の曇点を有することを特徴とする前記６．に記載の水性分散系。
２６．
約５９℃〜約７０℃の曇点を有することを特徴とする前記６．に記載の水性分散系。
２７．
前記シェルが、ポリテトラフルオロエチレンであることを特徴とする前記１．に記載の水性分散系。
２８．
前記フルオロポリマーが、フィブリル化していることを特徴とする前記１．に記載の水性分散系。
２９．
前記フルオロポリマーが、約１．４×１０10Ｐａ・ｓより大きい溶融クリープ粘度を有することを特徴とする前記１．に記載の水性分散系。
３０．
前記粒子が、約２５０〜約３００ｎｍの数平均粒度を有することを特徴とする前記１．に記載の水性分散系。
３１．
少なくとも約１．５重量％の前記フルオロポリマー粒子が、直径に対する長さの比で約５より大きい長さを有する実質的に棒形状の粒子を含むことを特徴とする前記１．に記載の水性分散系。
３２．
前記フルオロポリマー粒子の少なくとも５０％が、直径に対する長さの比で約１．５より大きい長さを有する実質的に円筒形であることを特徴とする前記１．に記載の分散系。
３３．
溶融加工性フルオロポリマーの粒子をさらに含むことを特徴とする前記１．に記載の分散系。
３４．
前記１．に記載の水性分散系であることを特徴とするコーティング組成物。
３５．
前記３４．に記載の組成物で被覆されることを特徴とする基材。
３６．
金属であることを特徴とする前記３５．に記載の基材。
３７．
調理器具であることを特徴とする前記３５．に記載の基材。
３８．
ガラス布であることを特徴とする前記３５．に記載の基材。
３９．
焼成層の形態にあることを特徴とする前記３４．に記載のコーティング組成物。
４０．
前記界面活性剤が熱的に除去されたことを特徴とする前記１．に記載の水性分散系で被覆された基材。
４１．
前記１．に記載の水性分散系から注入成形されたことを特徴とする自己支持形フィルム。